(57)【要約】      （修正有）【課題】家庭内の狭い場所でも給水を充分に行なえて、花や野菜を植栽できる植栽装置を提供する。【解決手段】植栽装置は、下部タンク１１と上部タンクとタンク支持枠体とを備える。タンク支持枠体は、下部タンク１１を支持する下部支持部１４と、上部タンクを支持する上部支持部と、下部支持部１４と上部支持部とを連結する６本の支柱１６からなる。下部支持部１４には、花や野菜を植栽するための鉢１を載置する。下部タンク１１には、所定量の水を貯留するとともに下部タンク１１内の水を吸い上げて、鉢１内に水を供給できる吸水部材２０を下部タンク１１と鉢１との間に挿入する。また、上部タンクからビニルパイプを配管して、上部タンクの水を鉢１内に落下できるように構成する。【選択図】図２
0003170248.tif 000002
【実用新案登録請求の範囲】
【請求項１】
１個の鉢を支持して室内又はベランダで植栽できるように構成された植栽装置であって、
下部タンクと、前記下部タンクを支持する下部支持部と、
上部タンクと、前記上部タンクを支持する上部支持部と、
前記下部支持部と前記上部支持部とを連結する複数本の支柱と、を備え、前記下部タンクに植栽用の前記鉢が載置され、
前記上部タンクには、前記鉢に向かって給水可能なパイプが配管され、
前記鉢と前記下部タンクとの間に、前記鉢から流れる水を前記下部タンクに垂れ流すとともに前記下部タンクの水を前記鉢内に吸い上げることができる吸水部材が配設されていることを特徴とする植栽装置。
【請求項２】
前記吸水部材は、綿又はジュートの繊維で形成されていることを特徴とする請求項１記載の植栽装置。
【考案の詳細な説明】
【技術分野】
【０００１】
本考案は、狭い場所でも花や野菜等を植栽することのできる植栽装置に関する。
【背景技術】
【０００２】
一般に、畑を有していない一般家庭や集合住宅等に居住している家庭においては、緑化意識、あるいは家庭菜園として花や野菜を植栽することが望まれ実現されてきている。しかし、このような環境の下では、室内やベランダ等の狭い場所でしか植栽する場所がなく鉢植えで植栽することになる。室内やベランダ等において鉢植えで植栽する場合、給水処理には特に注意を払わなければならなかった。従来、給水する場合には、如雨露等に水を汲み鉢内に水を注ぐことになっていた。しかし給水は頻繁に行わなければならず、都合で外出する場合があっても給水を怠ることはできない。そのため、自動的に給水できる装置が望まれていた。
【０００３】
従来から、知られている植栽装置としては、特許文献１に示されているものがある。これによると、特許文献１の植栽装置は、通常のパネル状建材のように壁面に対し取り付けが自由に行なえる緑化壁面用の植栽壁ユニットをえるものであって、前面に孔付き扉を備えかつ内部に棚段を持つ奥行きの浅いボックス壁内に棚段を利用して蔓性植物を鉢植えするものである。扉の孔を通じて植物の蔓と葉部を扉前に導出させ、ボックス壁内の上部に散水ノズルを取り付けるとともに、ボックス壁内の下部に液体容器を配置する。液体容器にはポンプを配置して液体容器内の液体を散水ノズルに送るようにしている。
【先行技術文献】
【特許文献】
【０００４】
【特許文献１】特開平８−９６号公報
【考案の概要】
【考案が解決しようとする課題】
【０００５】
しかし、特許文献１の植栽装置は、都市空間やビル空間、あるいは建設工事現場等に設置されるものであって、大掛かりな装置であって、しかも、スペースを広く取ることになっていた。また、液体容器内の液体をポンプで散水ノズルに送っていることからコストも高くなっていた。従って、一般家庭での狭い場所で設置する植栽装置には適していなかった。
【０００６】
本考案は、上述の課題を解決するものであり、一般家庭の室内やベランダ等の狭い場所で容易に植栽できる廉価な植栽装置を提供することを目的とする。
【課題を解決するための手段】
【０００７】
本考案に係る植栽装置は、以下のように構成するものである。すなわち、
請求項１記載の考案は、１個の鉢を支持して室内又はベランダで植栽できるように構成された植栽装置であって、下部タンクと、前記下部タンクを支持する下部支持部と、上部タンクと、前記上部タンクを支持する上部支持部と、前記下部支持部と前記上部支持部とを連結する複数本の支柱と、を備え、前記下部タンクに植栽用の前記鉢が載置され、前記上部タンクには、前記鉢に向かって給水可能なパイプが配管され、前記鉢と前記下部タンクとの間に、前記鉢から流れる水を前記下部タンクに垂れ流すとともに前記下部タンクの水を前記鉢内に吸い上げることができる吸水部材が配設されていることを特徴とするものである。
【０００８】
請求項２記載の考案は、請求項１に係わるものであって、前記吸水部材は、綿又はジュートの繊維で形成されていることを特徴としている。
【考案の効果】
【０００９】
請求項１の考案によれば、植栽装置が、１個の鉢を支持するように構成されていることから狭い場所でも植栽することができる。また、鉢の上方から上部タンクに配管されたパイプから水が供給され、鉢と下部タンクとの間に、吸水部材が配設されているから、鉢から流れる水を下部タンクに垂れ流すとともに下部タンクの水を鉢内に吸い上げることができる。そのため、コストを掛けずに自動給水が可能となって、安心して外出することができる。
【００１０】
請求項２の考案によれば、給水部材が綿やジュートの繊維で形成されていれば、毛細管現象を発生し易く水を吸い上げ易くなる。
【図面の簡単な説明】
【００１１】
【図１】本考案の植栽装置の一実施形態を示す正面一部断面図である。
【図２】図１における下部タンク内を示す拡大断面図である。
【図３】（ａ）下部支持部を示す平面図である。（ｂ）上部支持部を示す平面図である。
【図４】本考案の別の実施形態の植栽装置を示す正面図である。
【図５】野菜が植栽装置で植栽された状態を示す斜視図である。
【考案を実施するための形態】
【００１２】
以下、本考案の植栽装置の一実施形態を図面に基づいて説明する。
【００１３】
図１は、花又は野菜が植栽されていない状態の植栽装置の全体を示す正面一部断面図であり、図２は下部タンク内を示す拡大断面図である。図１に示すように、植栽装置１０は、下部タンク１１と、上部タンク１２と、下部タンク１１及び上部タンク１２を支持するタンク支持枠体１３とを備えて垂直方向に長尺状に構成されている。タンク支持枠体１３は、下部タンク１１を支持する下部支持部１４と、上部タンク１２を支持する上部支持部１５と、下部支持部１４と上部支持部１５連結する複数（６本）の支柱１６と、下部支持部１４と上部支持部１５との間の二箇所で複数の支柱１６に固着する中間補強部１７、１８とを備えている。
【００１４】
実施形態の下部支持部１４は、図２及び図３（ａ）に示すように、角パイプ１４１（又は角板状部材）を六角状につなぎ合わせて内部に中空部１４２を有するように形成するとともに、六箇所の各頂点部付近に支柱１６を挿入支持するためのパイプ部材１４３を、例えば、溶接にて固着して形成している。なお、パイプ部材１４３は、下部支持部１４上に配置してもよく、またパイプ部材１４３を削除して下部支持部１４に支柱１６の取り付け孔を設けて支柱１６の下端部を直接挿入するようにしてもよい。
【００１５】
実施形態の上部支持部１５は、図３（ｂ）に示すように、棒状部材１５１をつなぎ合わせて六角枠状に形成し、各支柱１６の内周面で、例えば、溶接にて固着している。さらに、上部タンク１２を支持するための支持棒部材１５２が、六角枠形状の上部支持部１５の頂点部を跨ぐように対角線上に２箇所に設けられている。
【００１６】
中間補強部１７、１８は、図３（ｂ）に示すように、棒状部材１７１、１８１をつなぎ合わせて六角枠状に形成し、各支柱１６の内周面で、例えば、溶接にて固着している。これによって、６本の支柱１６を堅固に支持することができる。
【００１７】
実施形態の下部タンク１１は、図２に示すように、水を貯留可能に形成された下容器部１１１と下容器部１１１を上方から塞ぐ蓋部１１２とを有して構成されている。下容器部１１１は下部支持部１４の中空部１４２内に挿入されるとともに、下容器部１１１の外周縁部には下部支持部１４の上面に載置されるフランジ部１１１ａが形成されている。蓋部１１２は、外周縁部が下容器部１１１のフランジ部１１１ａ内に嵌入されるとともに、蓋部１１２の中央部には、吸水部材２０が挿入される貫通孔１１２ａが形成されている。蓋部１１２の上面には、花や野菜類を植栽した１個の鉢１が載置される。鉢１の底部には中央に孔１ａが形成され、吸水部材２０の一方の端部が鉢１内に挿入可能に形成されている。従って、吸水部材２０は、一方の端部で下部タンク１１内に挿入され他方の端部においては鉢１内に挿入されることとなる。
【００１８】
実施形態の吸水部材２０は、図２に示すように、毛細管現象で水を吸収し易い綿やジュート等の繊維を撚って束ねた１本の紐体２０１を複数本束ねて形成されている。勿論これに限定するものではなく、水を吸水し易い繊維であればどれでもよい。
【００１９】
実施形態の上部タンク１２は、図１に示すように、下部タンク１１と同様、水を貯留可能に形成された下容器部１２１と下容器部１２１を上方から塞ぐ蓋部１２２とを有して構成されている。下容器部１２１は上部支持部１５内に挿入されるとともに、下容器部１２１の外周縁部には上部支持部１５の上面に載置されるフランジ部１２１ａが形成されている。蓋部１２２は、外周縁部が下容器部１２１のフランジ部１２１ａ内に嵌入される。上部タンク１２の側部には、水道管に接続された配管部材１２３が配管され、上部タンク１２に水道水が供給される。
【００２０】
上部タンク１２の下面側には、複数本（実施形態では３本）のビニルパイプ１９が上部タンク１２の底部に装着されたジョイント１９１を介して垂下されている。ジョイント１９１には給水量を調整するコック１９２が装着されている。ビニルパイプ１９は、各支柱１６又は中間補強部１７、１８に適宜に紐で固着されながら下端面を鉢１上に向かうように配管されている。ビニルパイプ１９は、上部タンク１２の水を鉢１内に落下できるようにしている。
【００２１】
また、下部支持部１４の下方には、複数個（実施形態では６個）のキャスタ２２が装着され、植栽装置１０を移動可能に構成している。
【００２２】
この鉢１で植栽される花や野菜等は、植栽装置１０の支柱１６を上方に長く延設して形成できるので、例えば、アサガオやキュウリ等の蔓性植物又はトマトやナス等を植栽することに適している。例えば、図２に示すように、鉢１内は３層構成、つまり、下層部にミズゴケ層３、中層部に赤玉土層４、上層部に培養土層５が埋め込まれている。下部タンク１１内に一端が挿入された吸水部材２０の他端は、ミズゴケ層３内に挿入されている。
【００２３】
なお、別の実施形態の植栽装置１０Ａでは、図４に示すように、支柱１６Ａは３本で形成され、タンク支持枠体１３Ａにおける３本の支柱１６Ａで囲われる空間を、下部支持部１４Ａの部分に対して上部支持部１５Ａの部分を狭くするように、支柱１６Ａを屈曲して形成してもよい。
【００２４】
上述のように構成された植栽装置１０の作用を以下に説明する。図５に示すように、例えばトマト６を植栽装置１０で植栽する場合、下部支持部１４上に載置された鉢１内に苗を植え付ける。鉢１には、下層部にミズゴケ層３（図２参照）、中層部に赤玉土層４（図２参照）、上層部に培養土層５（図２参照）が形成され、例えば、トマト６の苗は培養土層５内に植え付けられる。
【００２５】
鉢１と下部支持部１４との間には、鉢１と下部支持部１４に跨るように吸水部材２０（図２参照）が挿入されている。下部タンク１１には、吸水部材２０の一端を浸すことができる程度の水が貯留され、吸水部材２０は下部タンク１１の水を鉢１内に吸い上げている。上部タンク１２から供給する水の量は、植栽される花や野菜（例えば、トマト）が根腐れしない程度に流れるようにコック１９２（図１参照）で調整されている。そして、上部タンク１２から流れてきた水は、培養土層５から、赤玉土層４、ミズゴケ層３を通り吸水部材２０（図２参照）に浸み込んで下部タンク１１内に落下される。この水は、鉢１内の水が蒸発して水不足にならない程度に鉢１内の培養土層５上に流れることになる。
【００２６】
例えば、住人が外出して新たな水が上部タンク１２に流れずに、上部タンク１２の水がなくなった場合でも、下部タンク１１内に貯留されている水が、毛細管現象により下部タンク１１内に浸入している吸水部材２０を通って、鉢１のミズゴケ層３に流れる。従って鉢１内には、上部タンク１２の水をコック１９２でその量を調整しながら供給するか、あるいは、下部タンク１１から吸水部材２０を通って吸い上げられた水が供給されることになる。
【００２７】
植栽装置１０で植栽された花や野菜は、自動的に給水ができるから６本の支柱１６内において次第に上方に向かって成長することができる。延びた茎や枝等を、支柱１６又は中間補強部１７、１８において紐等で縛って固定させることによって、支柱１６の範囲内での植栽を行なうことができる。これにより、家庭内の狭い場所やベランダ等であっても安心して植栽することができる。
【符号の説明】
【００２８】
１０、植栽装置
１１、下部タンク
１２、上部タンク
１４、下部支持部
１５、上部支持部
１６、支柱
２０、吸水部材
【図１】
0003170248.tif 000003
【図２】
0003170248.tif 000004
【図３】
0003170248.tif 000005
【図４】
0003170248.tif 000006
【図５】
0003170248.tif 000007